(57)【特許請求の範囲】
【請求項１】
光を電気信号に変換する撮像素子と、
前記撮像素子の背面側に配置された第１放熱板と、
第１端部と、前記第１端部と反対側に配置された第２端部と、を有し、前記第１放熱板の背面側に配置された第２放熱板と、
前記第２放熱板の前記第１端部に設けられた放熱部と、
シャッター幕と、前記シャッター幕を電磁的に保持可能なシャッター保持部と、を有し、前記撮像素子への被写体光の到達を遮蔽するシャッターユニットを備え、
前記シャッター保持部は、前記第２放熱板と向かい合うように配置されている、
撮像ユニットの放熱構造。
【請求項２】
前記第１放熱板の厚みは、前記第２放熱板の厚みよりも厚い、
請求項１に記載の撮像ユニットの放熱構造。
【請求項３】
前記シャッター保持部は、前記第１端部よりも前記第２端部に近い位置に配置されている、
請求項１に記載の撮像ユニットの放熱構造。
【請求項４】
前記撮像素子は、光を受ける受光面を有しており、
前記受光面に平行な第１方向から見た場合、前記撮像素子は、前記放熱部と前記シャッター保持部との間に配置されている、
請求項１または３に記載の撮像ユニットの放熱構造。
【請求項５】
前記撮像素子の出力する電気信号を処理する信号処理部をさらに備え、
前記信号処理部は、前記第２放熱板と向かい合うように配置されている、
請求項１から４のいずれかに記載の撮像ユニットの放熱構造。
【請求項６】
前記信号処理部は、前記第１端部よりも前記第２端部に近い位置に配置されている、
請求項５に記載の撮像ユニットの放熱構造。
【請求項７】
交換レンズを装着するためのマウント部と、
前記マウント部と前記第１放熱板と前記第２放熱板とが装着されたフレームと、
をさらに備えた請求項１から６のいずれかに記載の撮像ユニットの放熱構造。
【請求項８】
バッテリーを収容するバッテリーケースをさらに備え、
前記放熱部は、前記バッテリーケースと前記撮像素子との間に配置されている、
請求項１から７のいずれかに記載の撮像ユニットの放熱構造。
【請求項９】
前記放熱部は、バッテリーを収容し前記第２放熱板に接続されたバッテリーケースを有している、
請求項１から７のいずれかに記載の撮像素子ユニットの放熱構造。
【請求項１０】
前記放熱部は、前記バッテリーケースと前記撮像素子との間に配置され前記第２放熱板に固定された放熱部材を有している、
請求項８に記載の撮像素子ユニットの放熱構造。
【請求項１１】
光を電気信号に変換する撮像素子と、
前記撮像素子の背面側に配置された第１放熱板と、
第１端部と、前記第１端部と反対側に配置された第２端部と、を有し、前記第１放熱板の背面側に配置された第２放熱板と、
前記第２放熱板の前記第１端部に設けられた放熱部と、
前記撮像素子の出力する電気信号を処理し、前記第１放熱板と反対方向に前記第２放熱板と向かい合うように配置されている信号処理部と、
を備えた撮像ユニットの放熱構造。
【発明の詳細な説明】
【技術分野】
【０００１】
ここに開示される技術は、撮像ユニットの放熱構造に関する。
【背景技術】
【０００２】
近年、撮像素子の大型化および高画素化によって撮像素子の発熱量が増大している。また、デジタルカメラ等のスチルカメラにおいても動画撮影機能が求められるようになり、撮像素子の発熱量の増大に拍車がかかっている。
【０００３】
また、高画素の画像データや動画データを処理して記録するための制御ＬＳＩや信号処理ＬＳＩにおいても、高集積化が進み、駆動周波数も高まっている。したがって、これらのＬＳＩからの発熱も無視することができない。
【０００４】
しかし、このような状況にあっても、撮像装置の小型化および薄型化に対する要求は続く。したがって、撮像装置そのものを大きくすることなく、これらの発熱の問題を解決しなければならない。
【０００５】
そこで、様々な放熱構造が提案されている。例えば、特許文献１には、電荷結合デバイス用の放熱装置が開示されている。特許文献２には、カメラの放熱装置が開示されている。これらの放熱装置では、撮像素子の背面に放熱板が取り付けられている。また、特許文献３には、撮像素子の放熱構造が開示されている。この放熱構造では、放熱板に設けられた放熱路により放熱板と放熱素子を接続した撮像素子の放熱構造が開示されている。
【先行技術文献】
【特許文献】
【０００６】
【特許文献１】実開昭６１−１２８８７５号公報
【特許文献２】実開昭６２−１２８９７号公報
【特許文献３】特開２００６−２１１０９１号公報
【発明の概要】
【発明が解決しようとする課題】
【０００７】
しかしながら、撮像素子の発熱量が増大しており、撮像素子の他にも制御ＬＳＩや信号処理ＬＳＩ等の発熱源が存在するので、撮像素子の背面に取り付けた放熱板のみでは、撮像素子の発する熱を効率的に放熱することが困難な場合もある。
【０００８】
ここに開示される技術は、放熱効率をより向上させた撮像ユニットの放熱構造を提供することを目的とする。
【課題を解決するための手段】
【０００９】
ここに開示される撮像ユニットの放熱構造は、光を電気信号に変換する撮像素子と、第１放熱板と、第２放熱板と、放熱部と、を備えている。第１放熱板は、第１端部と、前記第１端部と反対側に配置された第２端部と、を有しており、撮像素子の背面側に配置されている。第２放熱板は、第１放熱板の背面側に配置されている。放熱部は第２放熱板の第１端部に設けられている。
【００１０】
この放熱構造では、第１放熱板の背面側に第２放熱板が配置されており、さらに第２放熱板の第１端部に放熱部が設けられている。このため、撮像素子において発生する熱を、第１放熱板からだけでなく、第２放熱板および放熱部から効率よく放熱させることができる。
【発明の効果】
【００１１】
以上のように、ここに開示される技術によれば、放熱効率をより向上させた撮像ユニットの放熱構造を提供することができる。
【図面の簡単な説明】
【００１２】
【図１】（Ａ）デジタルカメラ本体の斜視図、（Ｂ）デジタルカメラ本体の斜視図（ポップアップ状態）
【図２】（Ａ）デジタルカメラ本体の正面図、（Ｂ）デジタルカメラの上面図、（Ｃ）正面から見て右側のデジタルカメラ本体の側面図、（Ｄ）ポップアップした状態のフラッシュユニットの側面図、（Ｅ）デジタルカメラ本体に格納された状態のフラッシュユニットの側面図
【図３】図２（Ａ）のIII−III断面図
【図４】デジタルカメラ本体の分解斜視図
【図５】（Ａ）撮像ユニットを前面側から見た斜視図、（Ｂ）撮像ユニットを背面側から見た斜視図
【図６】撮像ユニットの分解斜視図
【図７】撮像ユニットの断面図
【図８】デジタルカメラ本体の分解斜視図（第２実施形態）
【図９】撮像ユニットの断面図（第２実施形態）
【図１０】撮像ユニットの断面図（第３実施形態）
【発明を実施するための形態】
【００１３】
（第１実施形態）
（１．全体構成）
図１（Ａ）は、フラッシュ１０２を閉じた状態を示しており、図１（Ｂ）は、フラッシュ１０２をポップアップさせた状態を示している。
【００１４】
なお、以降の説明では、説明の便宜上、被写体側の面を前面、被写体と反対側の面を背面と称し、さらに、被写体側を前面側、被写体と反対側を背面側あるいは背後と称する。また、通常の横撮り姿勢での鉛直方向上側を単に「上側」と、同じく鉛直方向下側を単に「下側」と表現する。さらに、デジタルカメラ本体１００を正面から見て右側のことを単に「右側」と、同じくデジタルカメラ本体１００を正面から見て左側のことを単に「左側」と表現する。これらの表現はデジタルカメラ本体１００の使用状態を限定するものではない。
【００１５】
また、デジタルカメラ本体１００に対して３次元直交座標系を設定する。Ｘ軸はデジタルカメラ本体１００を使用する際の左右方向に平行に設定されている。Ｙ軸は交換レンズの光軸と平行に設定されている。Ｚ軸はデジタルカメラ本体１００を使用する際の上下方向（鉛直方向）に平行に設定されている。以下の説明では、Ｘ軸方向は、Ｘ軸に平行な方向とする。Ｙ軸方向はＹ軸に平行な方向とする。Ｚ軸方向（第１方向の一例）はＺ軸に平行な方向とする。被写体に向かって左側をＸ軸方向正側とする。Ｙ軸方向の被写体側をＹ軸方向正側とする。Ｚ軸方向に沿って上側をＺ軸方向正側とする。
【００１６】
デジタルカメラ本体１００は、交換レンズ（図示せず）を装着するためのマウント１０１（マウント部の一例）を備えている。フラッシュ１０２を使用しないときは、フラッシュ１０２は、図１（Ａ）のようにデジタルカメラ本体１００に格納されている。フラッシュ１０２を使用するときは、デジタルカメラ本体１００の背面に設けられた図示しないポップアップボタンを押圧操作することによって、フラッシュ１０２が図１（Ｂ）のようにポップアップする。
【００１７】
フラッシュユニット２００は、３箇所のリンク機構２０１、２０２および２０３によって、デジタルカメラ本体１００に対して約４５°の角度までポップアップする。ポップアップボタンを押圧操作すると、フラッシュカバー２０７をデジタルカメラ本体１００に係止している図示しないツメが外れる。発光部２０６を備えたフラッシュカバー２０７は、バネ支持部２０４および２０５に支持されたバネ（図示せず）の弾性力によってポップアップ位置へと押し出される。発光部２０６を発光させるための電荷は、ケーブル２０８を経由して、デジタルカメラ本体１００の下部に組み込まれたコンデンサ１０９（後述）から供給される。
【００１８】
図３は、デジタルカメラ本体の断面図である。図２（Ａ）に示すＡ−Ａ断面を示す図である。直線Ｌは、光軸を示しており、直線Ｍは、マウント面を示している。
【００１９】
デジタルカメラ本体１００は、いわゆる一眼レフ方式ではないので、光学ファインダーを備えない。そのため、デジタルカメラ本体１００はミラーボックスも備えていない。また、ミラーで反射した入射光を光学ファインダーの接眼レンズに導くペンタプリズムまたはペンタミラーも備えていない。デジタルカメラ本体１００では、撮像素子１０６が生成した画像が背面に設けられた液晶モニター１０８に表示される。これにより、被写体像を液晶モニター１０８で確認しながら構図を決定することができる。
【００２０】
なお、撮像素子１０６が生成した画像を表示する電子ビューファインダーをデジタルカメラ本体１００が備えていてもよい。この場合、電子ビューファインダーは、例えば、一眼レフ方式のデジタルカメラ本体において光学ファインダーが配置されている位置に配置される。
【００２１】
このように、デジタルカメラ本体１００は、ミラーボックスを備えていないため、特に光軸Ｌに平行な方向の薄型化が実現されている。
【００２２】
一方で、デジタルカメラ本体１００の内部には、多くの部品が密集して配置されている。具体的には図３に示すように、光軸Ｌに沿ってマウント１０１側から、シャッターユニット１０３、超音波フィルター１０４、光学ローパスフィルター１０５、撮像素子１０６およびメイン基板１０７が配置されている。また、デジタルカメラ本体１００の背面には、液晶モニター１０８が配される。さらに、デジタルカメラ本体１００の下部には、デジタルカメラ本体１００を三脚に固定するため、三脚に設けられたネジを受ける三脚取付部１１０が設けられている。撮像素子１０６の背面側には第１放熱板３０１および第２放熱板３０２が設けられている。第１放熱板３０１および第２放熱板３０２については後述する。
【００２３】
マウント１０１は交換レンズに設けられたマウントと機械的および電気的に連結される。これにより、交換レンズをデジタルカメラ本体１００に固定することができ、さらに、デジタルカメラ本体１００から交換レンズへの電力供給と交換レンズおよびデジタルカメラ本体１００間の通信とを実現できる。
【００２４】
超音波フィルター１０４は、振動幕（図示せず）と、振動幕を駆動する圧電素子（図示せず）と、を有している。圧電素子に所定の周波数の電圧を加えることで、振動幕が振動し、振動幕に付着した塵埃を除去することができる。
【００２５】
光学ローパスフィルター１０５は、撮像素子１０６の分解能を超える空間周波数の入射光をカットするための光学フィルターである。撮像素子１０６としては、ＣＣＤイメージセンサーやＣＭＯＳイメージセンサー等の撮像素子が考えられる。なお、撮像素子１０６は、ＣＣＤイメージセンサーやＣＭＯＳイメージセンサーに限定されない。
【００２６】
撮像素子１０６の前面には赤外線カットフィルター（図示せず）が配置されている。超音波フィルター１０４、光学ローパスフィルター１０５および撮像素子１０６は、撮像素子ユニット５００を構成している。なお、超音波フィルター１０４、光学ローパスフィルター１０５および撮像素子１０６が撮像素子ユニット５００として一体で構成されていてもよい。
【００２７】
コンデンサ１０９はフラッシュユニット２００の発光部２０６にケーブル２０８を経由して電荷を供給する。コンデンサ１０９は、円筒形状を有しており、デジタルカメラ本体１００の下部に配置されている。具体的には、コンデンサ１０９は、マウント１０１の背面側に配置されており、撮像素子ユニット５００の下部に配置されている。また、コンデンサ１０９の中心軸Ｃはデジタルカメラ本体１００の横方向と概ね平行である。コンデンサ１０９は、電解コンデンサであってもよいし、その他の方式のコンデンサ（例えば、電気二重層コンデンサ）であってもよい。さらに、コンデンサ１０９がコンデンサ以外の蓄電装置であってもよい。
【００２８】
マウント１０１は、交換レンズを取り付けるため所定の直径が必要である。一方、撮像素子１０６のサイズとしては、３５ｍｍフルサイズ、ＡＰＳ−Ｃサイズ、４／３サイズ等が規格化されているが、撮像素子１６０の高さ（図３の上下方向の寸法）は、マウント１０１の直径を上回るものではない。したがって、マウント１０１の背面側であって撮像素子ユニット５００の下側には空間が生じる。この空間に円筒形状をなすコンデンサ１０９を配置することで、デジタルカメラ本体１００をコンパクトにまとめることができる。
【００２９】
また、撮像素子１０６の高さよりも幅（図３の紙面に垂直な方向の寸法）の方が長いので、マウント１０１の背面側であって撮像素子１０６の左右の空間よりも、マウント１０１の背面側であって撮像素子１０６の下側に形成された空間の方が広い。さらに、後述するように、撮像素子ユニット５００の左右には多くの部品が配置される。したがって、マウント１０１の背面側であって撮像素子１０６の下側にコンデンサ１０９を配置することは、デジタルカメラ本体１００の小型化に大きく貢献し得る。
【００３０】
なお、マウント１０１の背面側であって撮像素子ユニット５００の上側にも同様の理由で空間が生じる。図２（Ａ）に示すように、デジタルカメラ本体１００の上面には多数の操作部材やフラッシュ１０２等が配されるものの、なお、空間が残るのであれば、その空間にコンデンサ１０９を配置することもできる。
【００３１】
図４に示すように、デジタルカメラ本体１００では、撮像ユニット３００、バッテリーユニット４００およびメイン基板１０７がフロントケース１１１とリアケース１１２とで包み込まれている。デジタルカメラ本体１００の上部は、トップケース１１３でカバーされている。
【００３２】
撮像ユニット３００は、マウント１０１、シャッター、撮像素子ユニット５００を有している。前述のように、撮像素子ユニット５００は、超音波フィルター１０４、光学ローパスフィルター１０５および撮像素子１０６を有している。撮像素子ユニット５００の右側には、シャッターを駆動するシャッター駆動部１１６が配置されている。シャッター駆動部１１６はステッピングモータ等のアクチュエータを有している。
【００３３】
バッテリーユニット４００は、バッテリーケース１１７、コンデンサ１０９および三脚取付部１１０を有している。バッテリーケース１１７は、バッテリー１１９（図７）に加えてメモリーカード等の記憶媒体も収納することができる。撮像素子ユニット５００の左側の空間は、バッテリーケース１１７でほぼ占有されている。
【００３４】
メイン基板１０７には、デジタルカメラ本体１００の各部を制御するＬＳＩや各種画像処理を行うＬＳＩ、バッテリー１１９から供給される電源を制御するＩＣ等が実装されている。本実施形態では、デジタルカメラ本体１００の各部を制御するＬＳＩと各種画像処理を行うＬＳＩとを統合した統合ＬＳＩ１１８がメイン基板１０７に実装されている。
【００３５】
統合ＬＳＩ１１８（信号処理部の一例）は、撮像素子１０６の出力する電気信号に所定の画像処理を施すので、動画撮影等、高負荷の状態が続く場合に大きな発熱を伴う。統合ＬＳＩ１１８は、デジタルカメラ本体１００を組み立てたときに、シャッター駆動部１１６の近傍に位置することになる。また、メイン基板１０７の右側には、デジタルカメラ本体１００と各種外部機器を接続するための端子群１１５が実装されている。端子群１１５は、例えば、パソコンに画像データを転送するためのＵＳＢ端子や大型テレビに画像を表示するためのＨＤＭＩ（High-Definition Multimedia Interface）端子、ＡＶ−ＯＵＴ端子を含んでいる。端子群１１５は、端子カバー１１４によってカバーされている。
【００３６】
トップケース１１３の右側には、フラッシュユニット２００が取り付けられている。フラッシュユニット２００は、その駆動機構も含め、デジタルカメラ本体１００の下部に向かって延伸する形状となっている。
【００３７】
以上に述べたように、デジタルカメラ本体１００の右側は、フラッシュユニット２００の一部、シャッター駆動部１１６および端子群１１５によって占められている。一方、デジタルカメラ本体１００の左側は、バッテリーケース１１７によって占有されている。したがって、マウント１０１の背面側であって撮像素子１０６の下側にコンデンサ１０９を配置することは、デジタルカメラ本体１００の小型化に大きく貢献し得る。
【００３８】
（２．撮像ユニットの構成）
図５に示すように、撮像素子１０６の背面側には、第１放熱板３０１（第１放熱板の一例）および第２放熱板３０２（第２放熱板の一例）が配置されている。より詳細には、第１放熱板３０１は撮像素子１０６の背面側に配置されており、第２放熱板３０２は第１放熱板３０１の背面側に配置されている。第１放熱板３０１は撮像素子１０６に取り付けられている。
【００３９】
第２放熱板３０２は、概ね矩形の板状部材であり、第１端部３０２ａと、第１端部３０２ａと反対側に配置された第２端部３０２ｂと、を有している。第１端部３０２ａは第２放熱板３０２の左側の端部である。第２端部３０２ｂは第２放熱板３０２の右側の端部である。第１端部３０２ａには放熱部材３０３が取り付けられている。
【００４０】
放熱部材３０３（放熱部の一例、放熱部材の一例）は、第２放熱板３０２に伝わる熱を放熱するために設けられており、第２放熱板３０２の第１端部３０２ａに固定されている。
【００４１】
第１放熱板３０１、第２放熱板３０２および放熱部材３０３は、いずれもアルミによって形成されている。しかし、第１放熱板３０１、第２放熱板３０２および放熱部材３０３は、その他の熱伝導率の比較的高い材料によって形成されていてもよい。例えば、第１放熱板３０１、第２放熱板３０２および放熱部材３０３は銅によって形成することもできる。
【００４２】
第１放熱板３０１および第２放熱板３０２は、撮像素子１０６の発する熱を放熱部材３０３に伝える。また、第２放熱板３０２は、それ自身においても放熱機能を有する。放熱部材３０３は、放熱効率を向上させるために、できるだけ表面積を広くとることが望ましい。本実施形態では、撮像ユニット３００の放熱部材３０３は、２つの放熱フィンを接続した概ねＵ字形状を有している。しかし、放熱部材３０３は、さらに多くの放熱フィンを備えていてもよいし、その表面に複数の放熱ブロックを形成してもよい。
【００４３】
図６に示すように、撮像ユニット３００は、マウント１０１側から、フレーム３０７、シャッターユニット１０３、超音波フィルターユニット３０５、撮像素子基板３０４、第１放熱板３０１、第２放熱板３０２および放熱部材３０３を有している。
【００４４】
フレーム３０７およびマウント１０１は一体的に形成されている。しかし、フレーム３０７とマウント１０１とは一体的に形成されていなくてもよく、フレーム３０７にマウント１０１が取り付けられていてもよい。フレーム３０７はアルミによって形成されている。アルミは、剛性が高く、放熱性にも優れているので、マウント１０１に装着された交換レンズをマウント１０１により強固に支持することができる。また、フレーム３０７は、シャッターユニット１０３、超音波フィルターユニット３０５、撮像素子基板３０４、第１放熱板３０１および第２放熱板３０２を取り付けるための基台となる。フレーム３０７には、シャッター駆動部１１６が取り付けられている。シャッター駆動部１１６に内包されたステッピングモータ等のアクチュエータを動作させるために、シャッター駆動部１１６にはフレキシブルケーブル３０９が接続されている。マウント１０１には、複数のコンタクトピン３１１が備えられている。これによって、マウント１０１に交換レンズを装着したときに、デジタルカメラ本体１００と交換レンズとの通信が可能になる。コンタクトピン３１１を介してやり取りさせる信号は、フレキシブルケーブル３０８を通ってメイン基板１０７上の統合ＬＳＩ１１８に伝えられる。
【００４５】
シャッターユニット１０３は、撮像素子１０６への被写体光の到達を遮蔽するために設けられており、先幕１０３ａ（シャッター幕の一例）、後幕１０３ｂ（シャッター幕の一例）およびシャッター保持部３０６（シャッター保持部の一例）を有している。先幕１０３ａおよび後幕１０３ｂは開口部３１２を遮蔽するために設けられている。シャッター保持部３０６は、先幕１０３ａおよび後幕１０３ｂを開位置で電磁的に保持可能であり、撮像素子１０６の右側に配置されている。図６は、先幕（シャッター幕の一例）が開口部３１２の下側に格納され、後幕（シャッター幕の一例）が開口部３１２の上側に格納された状態を示している。したがって、図６に示すシャッターユニット１０３では、開口部３１２が開放状態である。
【００４６】
一般的なノーマリークローズシャッターにおいて静止画を撮影する場合は、先幕１０３ａが走行してから、一定時間経過後に後幕１０３ｂを走行させることによって露光を行なう。そのため、まず、先幕１０３ａによって開口部３１２を遮蔽し、後幕１０３ｂを開口部３１２の上側に格納する。この動作は、シャッターユニット１０３のチャージとよばれる。シャッターユニット１０３のチャージは、シャッター駆動部１１６に内包されたステッピングモータ等のアクチュエータの回転力を、ギアおよびカム（図示せず）を経由してシャッター保持部３０６に設けられたレバー（図示せず）に伝達することによって行なわれる。シャッターユニット１０３がチャージされた状態においては、先幕１０３ａおよび後幕１０３ｂには開口部３１２の上部から下部へ走行させようとするバネ力が働いているが、シャッター保持部３０６により先幕１０３ａおよび後幕１０３ｂはバネ力に逆らって機械的に保持されている。
【００４７】
次に、シャッター保持部３０６に内包される先幕１０３ａおよび後幕１０３ｂのそれぞれに対応するソレノイドに通電して、先幕１０３ａおよび後幕１０３ｂを電磁的に固定する。その後に、先幕１０３ａおよび後幕１０３ｂの機械的なロックを解除する。ここで、静止画を撮影する場合は、先幕１０３ａに対応するソレノイドの通電を停止することによって先幕１０３ａが走行し、一定時間経過後に後幕１０３ｂに対応するソレノイドの通電を停止することによって後幕１０３ｂが走行する。
【００４８】
一方、動画を撮影する場合は、図６に示すように開口部３１２が開放された状態を維持しなければならないので、先幕１０３ａに対応するソレノイドの通電を停止して先幕１０３ａを走行させるが、後幕１０３ｂに対応するソレノイドの通電は継続しなければならない。したがって、動画を撮影する場合には、シャッター保持部３０６に内包された後幕１０３ｂに対応するソレノイドが熱を発生することになる。
【００４９】
そこで、シャッター保持部３０６は第２放熱板３０２の近くに配置されている。具体的には図７に示すように、シャッター保持部３０６は第２放熱板３０２と向かい合うように配置されている。これにより、シャッター保持部３０６で発生する熱が第２放熱板３０２に伝わりやすくなり、シャッター保持部３０６周辺の放熱が促進されやすくなる。
【００５０】
超音波フィルターユニット３０５は、超音波フィルター１０４と、超音波フィルター１０４を固定する枠体と、を有している。超音波フィルター１０４は、振動幕と、振動幕を駆動する圧電素子と、を有している。
【００５１】
撮像素子基板３０４には撮像素子１０６が実装されている。撮像素子１０６を駆動するための信号および撮像素子１０６の出力する画像信号は、コネクタ３１０に接続された図示しないケーブルを通ってメイン基板１０７上の統合ＬＳＩ１１８に伝えられる。
【００５２】
第１放熱板３０１は、撮像素子基板３０４の背面側（撮像素子１０６の背面側）に配置されており、撮像素子１０６の発生する熱を放熱する。第１放熱板３０１は、撮像素子基板３０４を取り付けるための基準としての役割ももつので、ある程度の剛性を確保するのが好ましい。したがって、第１放熱板３０１は一定程度の厚みを有していることが好ましい。本実施形態では、第１放熱板３０１の厚みは、第２放熱板３０２の厚みよりも厚い。
【００５３】
第２放熱板３０２は、第１放熱板３０１の背面側に配置されており、第１放熱板３０１の熱を放熱部材３０３に伝えるとともに、それ自身においても放熱機能を有している。図６に示すように、放熱部材３０３は第２放熱板３０２の左側に固定されている。第１放熱板３０１と第２放熱板３０２とはビスによって固定されている。また、第２放熱板３０２と放熱部材３０３とはビスによって固定されている。しかし、これらの部材は、ビスの代わりに、熱伝導性接着剤や熱伝導性テープによって固定されてもよい。また、ビスで固定する場合であっても、接触部に熱伝導性グリスを塗布してもよい。第２放熱板３０２の右側は、シャッター保持部３０６の背面側にあるので、シャッター保持部３０６で発生する熱（より詳細には、シャッター保持部３０６に内包された後幕用のソレノイドの発生する熱）を効率よく放熱することができる。また、第２放熱板３０２の右側の背後には、統合ＬＳＩ１１８が配置されているので、第２放熱板３０２は統合ＬＳＩ１１８の発生する熱を効率よく放熱することができる。
【００５４】
図７に示すように、放熱部材３０３は、第２放熱板３０２上に固定されており、熱源であるシャッター保持部３０６と統合ＬＳＩ１１８の存在する右側とは反対の左側の第１端部３０２ａに固定されているので、放熱効率を高めることができる。第１端部３０２ａは撮像素子１０６に対してシャッター保持部３０６と概ね反対側に配置されている。なお、本発明の実施の形態に係るデジタルカメラ本体１００においては、右側よりも左側の方が比較的空隙が確保されているので、放熱部材３０３を第２放熱板３０２の左側の一端（つまり第１端部３０２ａ）に配置している。しかし、デジタルカメラ本体１００の構成によっては、放熱部材３０３を第２放熱板３０２の上側や下側の一端に配置することもできる。また、熱源であるシャッター保持部３０６と統合ＬＳＩ１１８よりもさらに右側の一端に配置することもできる。いずれの場合であっても、放熱部材３０３は、第２放熱板３０２上にあって、熱源であるシャッター保持部３０６と統合ＬＳＩ１１８から離れた第１端部３０２ａに配置されることが、放熱効率の観点から望ましい。
【００５５】
このように、第１放熱板３０１の背面側に第２放熱板３０２を配置することで、撮像素子１０６の発生する熱を効率よく放熱することができる。さらに、第２放熱板３０２の右側前面においてシャッター保持部３０６で発生する熱（より詳細には、シャッター保持部３０６に内包された後幕用のソレノイドの発生する熱）を効率よく放熱し、第２放熱板３０２の右側背面において統合ＬＳＩ１１８の発生する熱を有効に放熱することができる。そして、第２放熱板３０２に集められた熱は、放熱部材３０３によって、デジタルカメラ本体１００の筐体内に効率よく拡散される。すなわち、デジタルカメラ本体１００内の各熱源において発生する熱を集中的に放熱させることができる。
【００５６】
また、撮像素子１０６、シャッター保持部３０６および放熱部材３０３が略同一面上に存在する。より詳細には、撮像素子１０６の受光面１０６ａに平行な長手方向Ｄ１（Ｘ軸方向）に、撮像素子１０６、シャッター保持部３０６および放熱部材３０３が並んで配置されている。このため、撮像ユニット３００の背面側に配置された略平板状のメイン基板とあいまって、デジタルカメラ本体１００の筐体内に無駄な空間を発生させることがなく、デジタルカメラ本体１００を小型化および薄型化することができる。
【００５７】
ここで、長手方向Ｄ１とは、デジタルカメラ本体１００の長手方向と概ね一致しており、受光面１０６ａの長手方向とも概ね一致している。横撮り姿勢では長手方向Ｄ１は左右方向と概ね一致する。
【００５８】
また、第１放熱板３０１および第２放熱板３０２は、シャッターユニット１０３、超音波フィルターユニット３０５および撮像素子基板３０４とともにフレーム３０７に固定されるので、撮像ユニット３００を強固に構成できるとともに、フレーム３０７を介して放熱することもできる。
【００５９】
さらに、フレーム３０７に形成されたマウント１０１に交換レンズが装着されるので、デジタルカメラ本体１００において発生する熱を交換レンズに分散させることができる。
【００６０】
＜特徴＞
以上に説明した撮像ユニット３００の特徴を以下にまとめる。
【００６１】
（１）この撮像ユニット３００では、第１放熱板３０１の背面側に第２放熱板３０２が配置されており、さらに第２放熱板３０２の第１端部３０２ａに放熱部材３０３が設けられている。このため、撮像素子１０６で発生する熱を、第１放熱板３０１からだけでなく、第２放熱板３０２および放熱部材３０３から効率よく放熱させることができる。したがって、この撮像ユニット３００であれば、放熱効率を向上させることができる。
【００６２】
（２）図７に示すように、第１放熱板３０１の厚みが第２放熱板３０２の厚みよりも厚いので、撮像素子ユニット５００の強度を第１放熱板３０１により高めることができる。
【００６３】
（３）図７に示すように、シャッター保持部３０６が第２放熱板３０２と向かい合うように配置されているので、シャッター保持部３０６で発生する熱が第２放熱板３０２に伝わりやすくなり、伝わった熱が第２放熱板３０２から、あるいは、第２放熱板３０２を介して放熱部材３０３から、放熱される。したがって、シャッター保持部３０６で発生する熱を効率よく放熱させることができる。
【００６４】
また、シャッター保持部３０６は第１端部３０２ａよりも第２放熱板３０２の第２端部３０２ｂに近い位置に配置されている。したがって、放熱部材３０３をシャッター保持部３０６から比較的離れた位置に配置することができ、シャッター保持部３０６周辺に熱が滞留するのを抑制できる。
【００６５】
さらに、Ｚ軸方向から見た場合、撮像素子１０６が放熱部材３０３とシャッター保持部３０６との間に配置されているので、放熱効率を高めながら構成部品を効率よく配置することができ、撮像ユニット３００の小型化も期待できる。
【００６６】
（４）図７に示すように、統合ＬＳＩ１１８が第２放熱板３０２と向かい合うように配置されているので、統合ＬＳＩ１１８で発生する熱が第２放熱板３０２に伝わりやすくなり、伝わった熱が第２放熱板３０２から、あるいは、第２放熱板３０２を介して放熱部材３０３から、放熱される。したがって、統合ＬＳＩ１１８で発生する熱を効率よく放熱させることができる。
【００６７】
また、統合ＬＳＩ１１８が第１端部３０２ａよりも第２端部３０２ｂに近い位置に配置されているので、放熱部材３０３がシャッター保持部３０６から比較的離れた位置に配置される。したがって、統合ＬＳＩ１１８周辺に熱が滞留するのを抑制できる。
【００６８】
（５）図７に示すように、放熱部材３０３がバッテリーケース１１７と撮像素子１０６との間に配置されているので、放熱部材３０３がバッテリーケースに比較的近い位置に配置されることになる。したがって、放熱部材３０３から放熱された熱がバッテリーケース１１７に伝わりやすくなり、放熱効率をさらに向上させることができる。
【００６９】
また、放熱部材３０３をバッテリーケース１１７と撮像素子１０６との間に配置することで、撮像素子１０６とバッテリーケース１１７との間に形成される空間を有効利用することができ、撮像ユニット３００の小型化が期待できる。
【００７０】
（第２実施形態）
前述の第１実施形態では、放熱部材３０３を例に放熱部について説明しているが、放熱部は前述の実施形態に限定されない。例えば、放熱部がバッテリーケース１１７であってもよい。
【００７１】
なお、以降の説明では、前述の第１実施形態と実質的に同じ機能を有する構成については、同じ符号を使用し、その詳細な説明は省略する。
【００７２】
図８および図９に示す撮像ユニット５１０は、第１放熱板３０１と、第２放熱板５０２と、バッテリーケース５１７（放熱部の一例、バッテリーケースの一例）と、を有している。第２放熱板５０２は、第２放熱板３０２とほぼ同じ形状を有しているが、バッテリーケース５１７に接続されている点で第２放熱板３０２とは形状が異なっている。第２放熱板５０２は、第１放熱板３０１の背面側に配置されており、第１放熱板３０１に接続されている。また、第２放熱板５０２の第１端部５０２ａはバッテリーケース５１７に固定されている。より詳細には、第２放熱板５０２のシャッター保持部３０６とは反対側の端部はバッテリーケース５１７に固定されている。第２放熱板５０２は、第２放熱板３０２と同様にアルミや銅などの熱伝導率が比較的高い材料により形成されている。バッテリーケース５１７は、バッテリー１１９を収容しており、例えばアルミや銅などの熱伝導率が比較的高い材料により形成されている。
【００７３】
第２放熱板５０２に伝わった熱の一部は、バッテリーケース５１７に伝わり、バッテリーケース５１７から周辺あるいはバッテリーケース５１７の内部に放熱される。バッテリーケース５１７は表面積が比較的大きいので、前述の放熱部材３０３と同等、あるいは、放熱部材３０３以上に放熱が促進され得る。このように、この撮像ユニット３００では、バッテリーケース５１７も放熱部として機能することになり、放熱効率を向上させることができる。
【００７４】
また、Ｚ軸方向から見た場合、撮像素子１０６はシャッター保持部３０６とバッテリーケース５１７との間に配置されている。したがって、放熱効率を高めながら構成部品を効率よく配置することができ、撮像ユニット３００の小型化も期待できる。
【００７５】
（第３実施形態）
さらに、第１および第２実施形態を組み合わせた実施形態も考えられる。具体的には図１０に示す撮像ユニット５２０は、第１放熱板３０１と、第２放熱板５０２と、放熱部材３０３（放熱部の一例、放熱部材の一例）と、バッテリーケース５１７（放熱部の一例、バッテリーケースの一例）と、を有している。放熱部材３０３は、第２放熱板５０２に接続されており、撮像素子１０６とバッテリーケース５１７との間に配置されている。第２放熱板５０２は、第１放熱板３０１の背面側に配置されており、第１放熱板３０１に接続されている。また、第２放熱板５０２の第１端部５０２ａはバッテリーケース５１７に固定されている。より詳細には、第２放熱板５０２のシャッター保持部３０６とは反対側の端部はバッテリーケース５１７に固定されている。第２放熱板５０２は、第２放熱板３０２と同様にアルミや銅などの熱伝導率が比較的高い材料により形成されている。バッテリーケース５１７は、バッテリー１１９を収容しており、例えばアルミや銅などの熱伝導率が比較的高い材料により形成されている。
【００７６】
第２放熱板５０２に伝わった熱の一部は、放熱部材３０３およびバッテリーケース５１７に伝わり、放熱部材３０３から周辺に放熱されるとともに、バッテリーケース５１７から周辺あるいはバッテリーケース５１７の内部に放熱される。第２放熱板５０２が放熱部材３０３およびバッテリーケース５１７に接続されているので、さらに放熱が促進される。
【００７７】
（他の実施形態）
本発明は、前述の実施形態に限定されるものではなく、本発明の範囲を逸脱することなく種々の変形および修正が可能である。
【００７８】
（１）例えば、放熱部材３０３を例に放熱部について説明しているが、放熱部の構成は放熱部材３０３に限定されない。放熱部はフィン、バッテリーケース（第２および第３実施形態に相当）、メモリーカードスロットなど、表面積が比較的大きい部材であればよい。また、放熱部が複数の部材から構成されていてもよい。さらに、放熱部が第２放熱板と一体形成されていてもよい。
【００７９】
（２）前述の実施形態では、第１放熱板３０１を例に第１放熱板について説明しているが、第１放熱板は第１放熱板３０１に限定されない。また、第２放熱板３０２を例として第２放熱板について説明しているが、第２放熱板は第２放熱板３０２に限定されない。例えば、第１放熱板３０１の厚みが第２放熱板３０２の厚みと同じであっても、放熱効率を向上させることができる。また、第１放熱板３０１の厚みが第２放熱板３０２の厚みよりも薄くても、放熱効率を向上させることができる。
【００８０】
（３）前述の実施形態では、シャッター保持部３０６を例にシャッター保持部について説明しているが、シャッター保持部はシャッター保持部３０６に限定されない。例えば、シャッター保持部３０６は第２放熱板３０２と向かい合うように配置されているが、シャッター保持部３０６の配置は前述の配置に限定されない。また、シャッター保持部３０６は第１端部３０２ａよりも第２端部３０２ｂに近い位置に配置されているが、シャッター保持部３０６の配置は前述の配置に限定されない。さらに、Ｚ軸方向から見た場合、撮像素子１０６が放熱部材３０３とシャッター保持部３０６との間に配置されているが、シャッター保持部３０６の配置は前述の配置に限定されない。
【００８１】
（４）前述の実施形態では、統合ＬＳＩ１１８を例に信号処理部について説明しているが、信号処理部は統合ＬＳＩ１１８に限定されない。例えば、統合ＬＳＩ１１８は第２放熱板３０２と向かい合うように配置されているが、信号処理部の配置はこの配置に限定されない。また、統合ＬＳＩ１１８は第１端部３０２ａよりも第２端部３０２ｂに近い位置に配置されているが、信号処理部の配置はこの配置に限定されない。
【００８２】
（５）前述の実施形態では、マウント１０１およびフレーム３０７を例にマウント部およびフレームについて説明しているが、マウント部およびフレームの構成は前述のマウント１０１およびフレーム３０７に限定されない。例えば、フレーム３０７とマウント１０１とは一体的に形成されていなくてもよく、フレーム３０７に別部材としてマウント１０１が取り付けられていてもよい。また、フレーム３０７に第１放熱板３０１および第２放熱板３０２が直接装着されていてもよく、フレーム３０７に第１放熱板３０１および第２放熱板３０２が他の部材を介して装着されていてもよい。
【００８３】
（６）前述の実施形態では、放熱部材３０３がバッテリーケース１１７と撮像素子１０６との間に配置されているが、放熱部材３０３の配置はこの配置に限定されない。
【産業上の利用可能性】
【００８４】
ここに開示される技術によれば、放熱効率をより向上させた撮像ユニットの放熱構造を提供することができるので、ここに開示される技術はデジタルカメラ等の撮像装置に適用可能である。
【符号の説明】
【００８５】
１００    デジタルカメラ本体
１０１    マウント（マウント部の一例）
１０２    フラッシュ
１０３    シャッターユニット（シャッターユニットの一例）
１０４    超音波フィルター
１０５    光学ローパスフィルター
１０６    撮像素子（撮像素子の一例）
１０７    メイン基板
１０８    液晶モニター
１０９    コンデンサ
１１０    三脚取付部
１１１    フロントケース
１１２    リアケース
１１３    トップカバー
１１４    端子カバー
１１５    端子群
１１６    シャッター駆動部
１１７    バッテリーケース（バッテリーケースの一例）
１１９    バッテリー（バッテリーの一例）
２００    フラッシュユニット
３００    撮像ユニット（撮像ユニットの一例）
３０１    第１放熱板（第１放熱板の一例）
３０２    第２放熱板（第２放熱板の一例）
３０３    放熱部材（放熱部の一例、放熱部材の一例）
３０４    撮像素子基板
３０６    シャッター保持部（シャッター保持部の一例）
３０７    フレーム（フレームの一例）
３０８    フレキシブルケーブル
３０９    フレキシブルケーブル
３１０    コネクタ
３１１    コンタクトピン
３１２    開口部
３０５    超音波フィルターユニット
４００    バッテリーユニット
５００    撮像素子ユニット
５１７    バッテリーケース（バッテリーケースの一例）
【図３】
0005740567.tif 000002
【図４】
0005740567.tif 000003
【図７】
0005740567.tif 000004
【図９】
0005740567.tif 000005
【図１０】
0005740567.tif 000006
【図１】
0005740567.tif 000007
【図２】
0005740567.tif 000008
【図５】
0005740567.tif 000009
【図６】
0005740567.tif 000010
【図８】
0005740567.tif 000011